(57)【特許請求の範囲】
【請求項１】
矩形の断面を持つ長尺材料の上面に、上面から下面に直角に貫通する孔で、内面には凹凸を有した円錐形の孔を長手方向に複数個等間隔に備え、上面から下面に直角に貫通する円形の孔を長手方向に複数個設ける、両端には角度を付けた同様な円錐形の孔を設ける、両端の一方に凸勘合他端には凹勘合を設け、凸勘合の部分に固定用の貫通孔も設け、上面の各孔を避けた場所に長手方向に溝を設け、側面にも長手方向に同様な溝を設ける事も可とする支柱組立簡易補助用具。
【請求項２】
前記円錐形の孔の、長手方向と直角方向も傾斜を設け円錐状の孔とする、請求項１記載の支柱組立簡易補助用具。
【請求項３】
前記上面の溝、と側面の溝は内面に向かって広がる形状で、この溝の用途は弾力材を充填し復元力を応用してシート等の抜けだし防止が目的で、同様な機能として上面と側面に突起状の部分を設けてクリップ状の物ではさみシート等の固定を行う事も可能な請求項１、２記載の支柱組立簡易補助用具。
【発明の詳細な説明】
【技術分野】
【０００１】本発明の実施形態は、農業用、園芸用の育成トンネルを設置する場合の支柱組立、覆いシートの簡易張りの支柱組立簡易補助用具に関する。
【背景技術】
【０００２】農業用、園芸用の植物育成の用途として育成トンネルを設置、トンネル設置時には支柱を地中に差し込み固定を行いその支柱上に、覆いシート等を張る作業を行っている。【０００３】支柱差し込み時は大きな力を必要とし、また分解時にも引き抜きに大きな力を要し重労働である。【０００４】これらの作業は実際の取付場所にての作業であり天候に左右されることが有る、また覆いシート等の固定には土をシートの端に積み上る作業を完了して育成トンネルの完成となる。
【発明の概要】
【発明が解決しようとする課題】
【０００５】従って、育成トンネルの組立分解、覆いシート等の固定等、育成トンネル設置を容易に作業可能な支柱組立簡易補助用具が求められる。
【課題を解決するための手段】
【０００６】上記の課題を解決するために、本発明の一実施形態は、矩形の断面を持つ材料に、長手方向上面に支柱サポート用の取付孔を等間隔に複数個設ける、同様に長手方向に固定用の孔を数個設ける、その各孔を避けるように長手方向に覆いシート等の固定用の溝を全長に設けて、その溝の中に覆いシート等を入れその上より弾力性を持ったチューブ又は紐状の物を押し込み覆いシート等を固定し弾力性を持った材料の反発力が溝の内側に作用し覆いシート等の抜け出しを防ぎ固定する、この支柱組立簡易補助用具は２本を一組として使用する、長手方向に伸ばして使用する場合はこの補助具の両端に設けられた嵌め合いに接続することで接続を増やすことが可能な支柱組立簡易補助用具を提供する。
【発明の効果】
【０００７】本支柱組立簡易補助用具は、設置に大きな力を必要とせず組立が容易に出来る、覆いシート取り付けにも土寄せ作業が無くなり重労働を必要としない。【０００８】設置場所以外で部分組立が可能で組立運搬し設置場所で本組立が可能。覆いシートの張替えが容易に出来る。【０００９】地上、コンクリート上に設置が可能となり多目的トンネル、簡易温室として活用が出来る。
【図面の簡単な説明】
【００１０】
【図１】支柱組立簡易補助用具の本体平面の構造を示す図である。
【図２】図１のＡ−Ａ断面を示す図である。
【図３】図１のＢ−Ｂ断面を示す図である。
【図４】支柱組立簡易補助用具を使用した１例の平面図の構造を示す図である。
【図５】図４の正面を示す図である。
【図６】図４の側面を示す図である。
【図７】長手方向の勘合部の接続状態の平面図を示す図である。
【図８】図７のＣ−Ｃ断面を示す図である。
【図９】支持孔より支柱を抜く場合の方法を示す図である。
【図１０】図９のＥ−Ｅ断面を示す図である。
【図１１】図４のＤ−Ｄ断面を示す図である。
【図１２】支持孔の内面の凹凸を示す図である。
【図１３】コンクリート上に設置の一例の断面を示す図である。
【図１４】地上に設置の一例の断面図を示す図である。
【発明を実施するための形態】
【００１１】以下、支柱組立簡易補助用具の一実施形態について、図面を用いて詳細に説明する。
【００１２】本実施形態の支柱組立簡易補助用具は、矩形断面を持つ材料の長手方向に上面から下面貫通孔を設け支柱固定用とする、この穴は上面から下面に向かって縮小する勾配を付け差し込まれる支柱の各種寸法に対応させる、孔の内面は表面に凹凸を付け差し込まれた支柱の抜け防止効果を付ける、この穴の長手方向と直角方向の軸にも勾配を設ける、この勾配は差し込まれる支柱に曲がり等の変形がある場合差し込みを容易にする。
【００１３】長手の方向に支柱組立簡易補助用具固定用の孔を数個設ける、この穴に固定釘を差込み地中に打ち込む事で支柱組立簡易補助用具全体を固定する、また本用具を複数接続使用する為に用具本体の前後に勘合部を設ける。
【００１４】図１は、本実施形態の支柱組立簡易補助用具の構造を示す図である。図１に示すように支柱組立簡易補助用具本体１は、角度付支持孔２と、支持孔３、固定用孔４、凸勘合５、凹勘合６、勘合固定孔７、図３に示す上面溝８、側面溝９を備える。
【００１５】角度付支持孔２は、用具本体１の両端に各１個設ける、支持孔３は長手方向に等間隔に数個設ける。
【００１６】図３の上面溝８、側面溝９は内側に向かって広がる勾配を有する溝とし押え込み力を内側に作用させる効果を持たせる。
【００１７】図４は、支柱組立簡易補助用具本体１を２本使用し市販品のＵ字型支柱１１を用いて組み立てた一例を示し、Ｕ字型支柱１１の使用数は設置場所、用途により適宜使用本数を決める。傾斜Ｕ字型支柱１２は必要に応じて用具本体の前後に取付端末部の覆いシート１３の固定を容易にする為に設置する。支柱組立簡易補助用具本体１の設置幅はＵ字型支柱１１の寸法で決定される。
【００１８】図５は、設置一例の正面図であり、支柱組立簡易補助用具本体１を地面に固定するために固定釘１４を用いる、固定釘１４は十分な長さの深さに打ち込み固定する。支柱組立簡易補助用具本体１にＵ字型支柱１１を差し込み組立後支柱の上面に覆いシート１３をのせる、覆いシート１３の左右の端を図６に示す上面溝８に押し込み固定用弾力材１５を上面溝８に押し込み固定する。覆いシート１３を２重に張る場合は上面溝８、と側面溝９を使用する事で可能となる。
【００１９】図７は、支柱組立簡易補助用具本体１を長手方向に複数本接続方法であり、支柱組立簡易用具本体１の凸勘合５、と凹勘合６を勘合させ凸勘合５に設けた固定孔７を使用して勘合部の抜け防止を行う。図８の組立用の金具２０、とボルト２２であり、固定孔７にボルト２２、を差し込みその上に固定板２１を設置しナット２３で締め付ける事で完全固定が可能となる。
【００２０】組立時は支持孔３にＵ字型支柱１１を押し込む事で容易に固定できるが、分解時にＵ字型支柱１１を抜く場合は大きな引き抜き力を要する場合が生ずる、この場合は無理する事無く容易に分解する方法として、金具２０、ボルト２２、固定板２３を使用する。図１０に示すように、支持孔３の下より金具２０のボルト２２を差し込みＵ字型支柱１１の頭部分にボルト２２を固定する、図９の様に固定板２３に設けられたＶ溝にＵ字型支柱１１の根元に差し込む、固定板２３の上面をハンマー１６でＵ字型支柱１１根元に向かって叩く事で容易に抜く事が可能となる。
【００２１】図１１は、支柱組立簡易補助用具本体１に差し込まれたＵ字型支柱１１、と覆いシート１３、と固定用弾力材１５の位置関係で覆いシート１３は一重を示す。２重の場合は側面溝８を使用する事で可能となる。
【００２２】図１２は、支持孔３の内面の凹凸部を示す図であり凹凸は下方に向かって傾斜し挿入された支柱が抜けないような作用をさせる。
【００２３】図１３は、実際の使用方法の一例を示し、組立使用時の断面であり、この例は固定釘１４の使用不可能な例で、固定釘１４の代わり左右の支柱組立簡易補助用具本体１に渡し板３３を設置しその板の上に育成対象の植木鉢３５等を乗せる事で全体の固定する役目を果たす。この設置方法はマンションのベランダー、コンクリート上に設置する等の植物の育成に有効な一例である。また観葉植物の簡易温室としても使用可能である。
【００２４】図１４は、実際の使用方法の一例を示し、組立時の断面である、この例は地上に設置した例であり、固定釘１４で支柱組立簡易補助用具本体１の左右を固定している。トンネルの中は育成植物用に畝を作りその畝を覆うようにして組立てられる。この例では植物の種まきから成長に従って覆いシートの架け替えが必要になるが支柱組立簡易補助用具本体１を使用する事で覆いシート１３の張替が容易にできる。
【００２５】いくつかの実施形態を説明したが、これらの実施形態は、例として提示したものであり、発明の範囲を限定する事は意図していない。これらの実施形態は、その他の様々な形態で実施される事が可能であり、発明の要旨を逸脱しない範囲で、種々の省略、置き換え、変更を行う事が出来る。これらの実施形態やその変形は、発明の範囲や要旨に含まれると同様に、特許請求の範囲に記載された発明とその均等の範囲に含まれるものである。
【符号の説明】
【００２６】１：支柱組立簡易補助用具本体
２：角度付支持孔
３：支持孔
４：固定用孔
５：凸勘合
６：凹勘合
７：勘合固定孔
８：上面溝
９：側面溝
１０：内面凹凸
１１：Ｕ字型支柱
１２：傾斜Ｕ字型支柱
１３：覆いシート
１４：固定釘
１５：固定用弾力材
１６：ハンマー
２０：金具
２１：固定板
２２：ボルト
２３：ナット
３０：土
３１：畝
３２：コンクリート
３３：渡し板
３４：植物
３５：鉢植え植物
【図１】
0005557065.tif 000002
【図２】
0005557065.tif 000003
【図３】
0005557065.tif 000004
【図４】
0005557065.tif 000005
【図５】
0005557065.tif 000006
【図６】
0005557065.tif 000007
【図７】
0005557065.tif 000008
【図８】
0005557065.tif 000009
【図９】
0005557065.tif 000010
【図１０】
0005557065.tif 000011
【図１１】
0005557065.tif 000012
【図１２】
0005557065.tif 000013
【図１３】
0005557065.tif 000014
【図１４】
0005557065.tif 000015